(57)【要約】【課題】室内親機のモニタに映像が出画中における玄関子機からの呼び出しを誤動作のない高精度で検出する。【解決手段】室内親機の映像復調回路２５において、入力ポートの直流電位が中点電位より少し高い電位に設定された第１のＣＭＯＳロジックＩＣ３１のロジックゲート３１ａからの出力信号のパルス幅を、予め設定した時間と比較し、設定した時間よりも長いパルスの入力に対して一定時間のパルスを第２のＣＭＯＳロジックＩＣ３５のロジックゲート３５ａから出力させ、この出力信号Ｓ６と検波後の映像信号Ｓ５とを加算手段４０を介して加算することにより、室内親機のモニタ２１に映像が出画中における玄関子機からの呼出時に発生する映像同期信号下側に出力される不要なパルスが除去できるばかりでなく、出力信号Ｓ６は、来訪者からの出画中呼び出しをＣＰＵ２８にて検出させるための呼出信号成分となる。【選択図】　図３
2004096408.tif 000002
【特許請求の範囲】
【請求項１】
玄関子機（１）の呼出ボタン（１０）が押下されたとき伝送線路（Ｌ１、Ｌ２）を介して接続された室内親機（２）にて呼出検出され親機スピーカ（２０）から呼出音が鳴動され、前記玄関子機のカメラ（１１）にて撮像された映像を前記室内親機のモニタ（２１）に出画し、前記室内親機の通話装置（２２）と前記玄関子機の子機マイク（１２）および子機スピーカ（１３）との間で通話を行うテレビドアホン装置であって、
前記玄関子機は、前記カメラにて撮像された映像信号をＦＭ変調信号に変調するための映像変調回路（１４）を備え、
前記室内親機は、前記ＦＭ変調信号を前記映像信号に復調するための映像復調回路（２５）を備え、
前記映像復調回路は、前記ＦＭ変調信号が入力される入力ポートの直流電位を中点電位から遷移させた電位に設定するための第１のＣＭＯＳロジックＩＣ（３１）と、前記第１のＣＭＯＳロジックＩＣのロジックゲート（３１ａ）から出力されるパルス幅と設定した時間とを比較するための比較手段（３２）と、前記設定した時間よりも長いパルスの入力に対して一定時間のパルスを出力するための第２のＣＭＯＳロジックＩＣ（３５）と、前記第２のＣＭＯＳロジックＩＣの出力を復調後の映像信号に加算するための加算手段（４０）とを備えることにより、前記玄関子機の呼出ボタンが押下されたとき、呼び出しをかけるためのＦＭキャリア断続時に発生する映像同期信号下側に出力されるパルスを除去して前記第２のＣＭＯＳロジックＩＣの出力を前記呼び出しを検出させるための信号として利用することを特徴とするテレビドアホン装置。
【発明の詳細な説明】
【０００１】
【発明の属する技術分野】
本発明はテレビドアホン装置に係り、特に、玄関子機にて撮像された映像がモニタに出画中の室内親機において、玄関子機からの呼び出しを検出できるテレビドアホン装置に関する。
【０００２】
【従来の技術】
従来から、この種のテレビドアホン装置として、図５の概略外観図に示す構成のテレビドアホン装置が提案されている。
【０００３】
図５の概略外観図において、通常、玄関（玄関先）に設置される玄関子機５１（の筐体面）には、呼出ボタン６０、カメラ６１、子機マイク６２、子機スピーカ６３が配置されている。なお、玄関子機５１の具体的な構成の図示および説明は省略する。
【０００４】
図５の概略外観図において、通常、室内に設置される室内親機５２（の筐体面）には、親機スピーカ７０、モニタ７１、（通話装置を構成する）ハンドセット７２、フックスイッチ７３が配置されており、この室内親機５２は、伝送線路Ｌ５１、Ｌ５２をそれぞれ介して玄関子機５１に接続されている。
【０００５】
また、室内親機５２は、図６のブロック図に示すように、上述の親機スピーカ７０、モニタ７１、ハンドセット７２、フックスイッチ７３と、呼出検出回路７４、映像復調回路７５、親機通話回路７６、親機電源供給回路７７、ＣＰＵ７８、インターフェース（以下、親機Ｉ／Ｆという。）７９とが備えられている。
【０００６】
さらに、室内親機５２の映像復調回路７５は、図７のブロック図に示すように、リミッタアンプ８０、遅延回路８１、位相比較回路８２、低域通過フィルタ（ローパスフィルタ）８３、エンペローブ検波回路８４、反転回路８５、（加算手段を構成する）加算回路８６、ビデオアンプ８７が備えられている。
【０００７】
このように構成された従来例のテレビドアホン装置において、玄関先に居る来訪者による呼出操作、すなわち、図５の概略外観図に示す玄関子機５１の呼出ボタン６０が予め押下されており、これに起因して図５の概略外観図および図６のブロック図に示す室内親機５２の親機スピーカ７０から呼出音が鳴動され、併せて玄関子機５１のカメラ６１にて撮像された映像が室内親機５２のモニタ７１に出画されている出画中の場合に、玄関先に居る来訪者が玄関子機５１の呼出ボタン６０を（再度）押下すると、玄関子機５１のカメラ６１にて撮像された映像であり、変調された後、伝送線路Ｌ５１、Ｌ５２の２線間、室内親機５２の親機Ｉ／Ｆ７９を介して映像復調回路７５へ伝送されるＦＭ変調信号Ｓ５１には、図８の説明図に示すようにＦＭキャリア断続が発生する。
【０００８】
また、図７のブロック図に示す室内親機５２の映像復調回路７５において、リミッタアンプ８０は、図８の説明図に示すＦＭ変調信号Ｓ５１をロジックレベルまで増幅させ、増幅されたＦＭ変調信号Ｓ５２は、そのまま位相比較回路８２に入力されるとともに、遅延回路８１を介して所定の時間遅延されたＦＭ変調信号Ｓ５３として位相比較回路８２に入力される。ここで、ＦＭ変調信号Ｓ５１に発生しているＦＭキャリア断続の期間は、遅延回路８１にて設定された遅延時間と比較して十分に長いため、位相比較回路８２から低域通過フィルタ８３およびエンペローブ検波回路８４への出力をなす映像信号Ｓ５４は、当該ＦＭキャリア断続の期間内Ｌ（Ｌｏｗ）レベルに固定される。
【０００９】
さらに、図７のブロック図に示す室内親機５２の映像復調回路７５において、低域通過フィルタ８３を通過された映像信号Ｓ５５は、当該映像復調回路を介して復調された後、図８の説明図に示す映像同期信号の下側に大きなパルスを発生させ、このパルスがノイズとなり、モニタ７１に出画される映像の輝度を大きく変化させたり同期の乱れを起こさせるため、低域通過フィルタ８３を通過された映像信号Ｓ５５と、エンペローブ検波回路８４からのエンペローブ検波信号Ｓ５６を反転回路８５を介して反転させた出力信号Ｓ５７とを加算回路８６にて加算させることにより、上述の映像同期信号の下側に発生する不要なパルスを除去でき、加算回路８６からの映像信号Ｓ５８は、ビデオアンプ８６を介して増幅された映像信号Ｓ５９としてモニタ７１へ伝送されるとともに、ＣＰＵ７８に対して来訪者からの出画中呼び出しを検出させることができる。
【００１０】
【発明が解決しようとする課題】
しかしながら、従来例のテレビドアホン装置において、室内親機５２の映像復調回路７５では、位相比較回路８２からの映像信号Ｓ５４をエンペローブ検波回路８４および反転回路８５を介してエンペローブ検波／出力反転しているため、正当な呼出信号成分の振幅性パルスでもエンペローブ検波回路８４が誤作動して映像信号に影響を与えたり、誤った呼び出しをＣＰＵ７８に対して検出させる虞があった。
【００１１】
また、室内親機５２の映像復調回路７５を構成するエンペローブ検波回路８４および反転回路８５は回路構成が複雑であり、大きな基板面積を必要とする難点があった。
【００１２】
さらに、室内親機５２の映像復調回路７５において、来訪者からの出画中呼び出しをＣＰＵ７８にて検出させるにあたり、このＣＰＵ７８では、加算回路８６からの映像信号Ｓ５８についてキャリア検出するため、特別な制御が必要とされる難点があった。
【００１３】
本発明は、上述の難点を解消するためになされたもので、玄関子機にて撮像／変調されたＦＭ変調信号に発生するＦＭキャリア断続の検出を当該ＦＭ変調信号のパルス幅に基づいて行うことにより、室内親機のモニタに映像が出画中における玄関子機からの呼び出しを、簡易な回路構成で、かつ誤動作のない高精度で検出できるテレビドアホン装置を提供することを目的としている。
【００１４】
【課題を解決するための手段】
上述の目的を達成するため、本発明のテレビドアホン装置は、玄関子機の呼出ボタンが押下されたとき伝送線路を介して接続された室内親機にて呼出検出され親機スピーカから呼出音が鳴動され、玄関子機のカメラにて撮像された映像を室内親機のモニタに出画し、室内親機の通話装置と玄関子機の子機マイクおよび子機スピーカとの間で通話を行うテレビドアホン装置である。また、玄関子機は、カメラにて撮像された映像信号をＦＭ変調信号に変調するための映像変調回路を備えている。また、室内親機は、ＦＭ変調信号を映像信号に復調するための映像復調回路を備えている。さらに、映像復調回路は、ＦＭ変調信号が入力される入力ポートの直流電位を中点電位から遷移させた電位に設定するための第１のＣＭＯＳロジックＩＣと、第１のＣＭＯＳロジックＩＣのロジックゲートから出力されるパルス幅と設定した時間とを比較するための比較手段と、設定した時間よりも長いパルスの入力に対して一定時間のパルスを出力するための第２のＣＭＯＳロジックＩＣと、第２のＣＭＯＳロジックＩＣの出力を復調後の映像信号に加算するための加算手段とを備えることにより、玄関子機の呼出ボタンが押下されたとき、呼び出しをかけるためのＦＭキャリア断続時に発生する映像同期信号下側に出力されるパルスを除去して第２のＣＭＯＳロジックＩＣの出力を呼び出しを検出させるための信号として利用するものである。
【００１５】
このようなテレビドアホン装置によれば、室内親機の映像復調回路の第１のＣＭＯＳロジックＩＣの入力ポートの直流電位を中点電位より少し高い電位に設定することにより、玄関子機のカメラにて撮像され、映像変調回路を介して変調されたＦＭ変調信号が微小な信号でも増幅せずに当該第１のＣＭＯＳロジックを駆動させることができる。また、第１のＣＭＯＳロジックＩＣのロジックゲートからの出力信号のパルス幅を予め設定した時間と比較し、設定した時間よりも長いパルスの入力に対して一定時間のパルスを第２のＣＭＯＳロジックＩＣのロジックゲートから出力させ、この出力信号と検波後の映像信号とを加算手段を介して加算することにより、室内親機のモニタに映像が出画中における玄関子機からの呼出時に発生する映像同期信号下側に出力される不要なパルスを除去できるばかりでなく、第２のＣＭＯＳロジックＩＣのロジックゲートからの出力信号は、待受時においてはＬ（Ｌｏｗ）レベル、呼出時においてはＨ（Ｈｉｇｈ）レベルにそれぞれ固定される２値信号であるため、玄関子機からの出画中呼び出しをＣＰＵにて容易に検出させるための呼出信号成分となる。
【００１６】
【発明の実施の形態】
以下、本発明のテレビドアホン装置を適用した好ましい形態の実施例について、図面を参照して説明する。
【００１７】
図１は、本発明の実施例によるテレビドアホン装置を正面から見た概略外観図であり、通常、玄関（玄関先）に設置される玄関子機１と、伝送線路Ｌ１、Ｌ２をそれぞれ介して玄関子機１に接続されており、通常、室内に設置される室内親機２とで構成されている。
【００１８】
図１の概略外観図において、玄関子機１（の筐体面）には、玄関先に居る来訪者が室内の居住者を呼び出すために押下する呼出ボタン１０と、呼出操作を行った来訪者の映像や玄関先近傍の映像を撮像するためのカメラ１１と、来訪者が居住者との間で通話を行うために使用する子機マイク１２および子機スピーカ１３とが配置されている。
【００１９】
また、図１の概略外観図において、室内親機２（の筐体面）には、玄関先に居る来訪者による玄関子機１からの呼び出しを室内の居住者に対して呼出発報させるための呼出音を鳴動する親機スピーカ２０と、玄関子機１のカメラ１１にて撮像された映像を出画するためのモニタ２１と、居住者が来訪者との間で通話を行うために使用する通話装置、ここでは、ハンドセット通話を行うためのハンドセット２２と、ハンドセット２２の取り上げの有無に起因してフックオフ／オンされるフックスイッチ２３とが配置されている。
【００２０】
図２は、本発明の実施例によるテレビドアホン装置の構成を示すブロック図である。
【００２１】
図２のブロック図において、玄関子機１は、上述の呼出ボタン１０、カメラ１１、子機マイク１２、子機スピーカ１３と、カメラ１１にて撮像された映像信号をＦＭ変調信号に変調するための映像変調回路１４と、子機マイク１２および子機スピーカ１３と後述するインターフェース１７との間の通話ラインを形成するための子機通話回路１５と、室内親機２の後述する親機電源供給回路２７から供給されてくる直流電源を、当該玄関子機の構成各部／回路へそれぞれ動作電源として供給するための子機電源供給回路１６と、呼出ボタン１０、映像変調回路１４、子機通話回路１５、子機電源供給回路１６と伝送線路Ｌ１、Ｌ２との間の信号伝送ライン（通話ライン）、電源供給ラインをそれぞれ形成するためのインターフェース（以下、子機Ｉ／Ｆという。）１７とが備えられている。
【００２２】
また、図２のブロック図において、室内親機２は、上述の親機スピーカ２０、モニタ２１、ハンドセット２２、フックスイッチ２３と、待受時における玄関子機１からの呼び出しを、伝送線路Ｌ１、Ｌ２の２線間に予め重畳されている直流電源の電位降下に基づいて検出するための呼出検出回路２４と、モニタ２１に出画させる映像である玄関子機１からのＦＭ変調信号を映像信号に復調するための映像復調回路２５と、ハンドセット２２と後述するインターフェース２９との間の通話ラインを形成するための親機通話回路２６と、当該室内親機および玄関子機１の構成各部／回路を駆動させる動作電源として、直流電源を供給するための親機電源供給回路２７と、当該室内親機の構成各部／回路を制御するためのＣＰＵ２８と、呼出検出回路２４、映像復調回路２５、親機通話回路２６、親機電源供給回路２７と伝送線路Ｌ１、Ｌ２との間の信号伝送ライン（通話ライン）、電源供給ラインをそれぞれ形成するためのインターフェース（以下、親機Ｉ／Ｆという。）２９とが備えられている。
【００２３】
図３は、室内親機２の映像復調回路２５の具体的な構成を示す回路ブロック図である。
【００２４】
図３の回路ブロック図において、室内親機２の映像復調回路２５は、コンデンサＣ１を介して入力される玄関子機１からのＦＭ変調信号の直流電位を、直列接続された各抵抗Ｒ１、Ｒ２、Ｒ３の抵抗値に起因した所定の電位に設定するための入力ポート電位設定回路３０と、親機電源供給回路２７からの直流電源が動作電源となり、入力ポート電位設定回路３０を介して所定の電位に設定されたＦＭ変調信号の直流電位を中点電位から若干高く遷移させた電位に設定するための第１のＣＭＯＳロジックＩＣ３１と、第１のＣＭＯＳロジックＩＣ３１のロジックゲート３１ａからの出力をなすＦＭ変調信号のパルス幅と設定した時間、ここでは、並列接続された抵抗Ｒ４およびコンデンサＣ２の積で設定される時間（以下、第１の設定時間という。）とを比較するための比較手段を構成するパルス幅識別回路３２と、第１のＣＭＯＳロジックＩＣ３１のロジックゲート３１ａからの出力信号を反転させるためのＮＯＲ（ノア回路）３３と、ＮＯＲ３３の出力ゲート３３ａからの出力信号をトリガとして、一定のパルス幅、ここでは、並列接続された抵抗Ｒ５およびコンデンサＣ３の積で設定される時間（以下、第２の設定時間という。）とを比較するための比較手段を構成するパルス幅設定回路３４と、第１の設定時間よりも長いパルスの入力に対して第２の設定時間のパルスを出力するための第２のＣＭＯＳロジックＩＣ３５と、第１のＣＭＯＳロジックＩＣ３１のロジックゲート３１ａからの出力をなすＦＭ変調信号を所定の時間遅延させるための遅延回路３６と、第１のＣＭＯＳロジックＩＣ３１のロジックゲート３１ａからの出力をなすＦＭ変調信号の位相と遅延回路３６を介して遅延された出力をなすＦＭ変調信号の位相とを比較するための位相比較回路３７と、位相比較回路３７からの出力をなす映像信号について低周波数帯域のみを通過させるための低域通過フィルタ（ローパスフィルタ）３８と、低域通過フィルタ３８を通過された映像信号を増幅するためのビデオアンプ３９と、第２のＣＭＯＳロジックＩＣ３５のロジックゲート３５ａからの出力信号とビデオアンプ３９を介して増幅された映像信号とを加算するための加算手段を構成する加算回路４０とが備えられている。
【００２５】
図３の回路ブロック図に示す室内親機２の映像復調回路２５において、第１のＣＭＯＳロジックＩＣ３１の入力ポートの一方には、入力ポート電位設定回路３０（の直列接続された抵抗Ｒ１、Ｒ２、Ｒ３の交点）、コンデンサＣ１を介して親機Ｉ／Ｆ２９が接続され、入力ポートの他方には、第２のＣＭＯＳロジックＩＣ３５のロジックゲート３５ａが接続されており、ロジックゲート３１ａには、パルス幅識別回路３２を構成する抵抗Ｒ４と、位相比較回路３７の入力ポートの一方と、遅延回路３６を介して位相比較回路３７の入力ポートの他方とがそれぞれ接続されている。また、ＮＯＲ３３の入力ポートの一方および他方には、パルス幅識別回路３２を構成する抵抗Ｒ４、コンデンサＣ２がそれぞれ接続されており、出力ゲート３３ａには、パルス幅設定回路３４を構成する抵抗Ｒ５を介して第２のＣＭＯＳロジックＩＣ３５の入力ポートの一方が接続されている。また、第２のＣＭＯＳロジックＩＣ３５の入力ポートの他方には、パルス幅識別回路３２を構成する抵抗Ｒ４、コンデンサＣ２がそれぞれ接続されており、ロジックゲート３５ａには、加算回路４０の入力ポートの一方と、ＣＰＵ２８とがそれぞれ接続されている。また、位相比較回路３７の出力ポートには、低域通過フィルタ３８、ビデオアンプ３９を介して加算回路４０の入力ポートの他方が接続されており、この加算回路４０の出力ポートには、モニタ２１が接続されている。
【００２６】
このように構成された本発明の実施例によるテレビドアホン装置において、以下、具体的な動作について図面を参照して説明する。
【００２７】
玄関先に居る来訪者による呼出操作、すなわち、図１の概略外観図および図２のブロック図に示す玄関子機１の呼出ボタン１０が予め押下されており、これに起因して室内親機２の親機スピーカ２０から呼出音が鳴動され、併せて玄関子機１のカメラ１１にて撮像された映像が室内親機２のモニタ２１に出画されている出画中の場合に、玄関先に居る来訪者が玄関子機１の呼出ボタン１０を（再度）押下すると、図２のブロック図に示す玄関子機１のカメラ１１にて撮像された映像であり、映像変調回路１４を介して変調された後、子機Ｉ／Ｆ１７、伝送線路Ｌ１、Ｌ２の２線間、室内親機２の親機Ｉ／Ｆ２９を介して映像復調回路２５へ伝送されるＦＭ変調信号Ｓ１には、図４の説明図に示すようにＦＭキャリア断続が発生する。
【００２８】
図３のブロック図に示す室内親機２の映像復調回路２５において、入力ポート電位設定回路３０は、コンデンサＣ１を介して入力される玄関子機１からのＦＭ変調信号Ｓ１の直流電位を、直列接続された各抵抗Ｒ１、Ｒ２、Ｒ３の抵抗値に起因した所定の直流電位、ここでは、図２のブロック図に示す親機電源供給回路２７からの直流電源の電源電圧Ｖｄｄの１／２よりも若干高い直流電位Ｖ１に遷移させ、遷移させた直流電位Ｖ１が中心値となるＦＭ変調信号Ｓ２を第１のＣＭＯＳロジックＩＣ３１に出力する。また、第１のＣＭＯＳロジックＩＣ３１のロジックゲート３１ａからの出力は、通常、電源電圧Ｖｄｄの１／２の直流電位が閾値とされ、Ｈ（Ｈｉｇｈ）レベル、またはＬ（Ｌｏｗ）レベルとなる、ここでは、ＦＭ変調信号Ｓ２の直流電位が直流電位Ｖ１よりも高い場合にはＬレベルのＦＭ変調信号Ｓ３を、一方、ＦＭ変調信号Ｓ２の直流電位が直流電位Ｖ１よりも低い場合にはＨレベルのＦＭ変調信号Ｓ３を出力する。このＦＭ変調信号Ｓ３は、パルス幅識別回路３２の抵抗Ｒ４を介してコンデンサＣ２に蓄電されるばかりでなく、そのまま位相比較回路３７に入力されるとともに、遅延回路３６を介して所定の時間（詳述せず）遅延されたＦＭ変調信号Ｓ４として位相比較回路３７に入力される。
【００２９】
また、図３のブロック図に示す室内親機２の映像復調回路２５において、位相比較回路３７は、第１のＣＭＯＳロジックＩＣ３１のロジックゲート３１ａからのＦＭ変調信号Ｓ３の位相と遅延回路３６からのＦＭ変調信号Ｓ３の位相とを比較する。ここで、ＦＭ変調信号Ｓ１に発生しているＦＭキャリア断続の期間は、遅延回路３６にて設定された遅延時間と比較して十分に長いため、この位相比較回路３７から低域通過フィルタ３８、ビデオアンプ３９を介して加算回路４０への出力をなす映像信号Ｓ５は、ＦＭキャリア断続の期間内Ｌレベルに固定される。
【００３０】
また、図３のブロック図に示す室内親機２の映像復調回路２５において、玄関子機１からのＦＭ変調信号Ｓ１に発生する図４の説明図に示すキャリア断続の期間内、第１のＣＭＯＳロジックＩＣ３１の入力ポートの一方に入力されるＦＭ変調信号Ｓ２の直流電位は、電源電圧Ｖｄｄの１／２よりも若干高くなり、このキャリア断続の期間内においてロジックゲート３１ａからの出力をなすＦＭ変調信号Ｓ３はＬレベルに固定される。なお、キャリア断続の期間は、キャリアの周期として比較して十分に長く設定、例えば、キャリアの周波数１２ＭＨｚおよび周期０．０８３μＳと比較してキャリア断続の期間の周波数は１２ＭＨｚであり、周期は３３μＳに設定されているものとする。
【００３１】
また、図３のブロック図に示す室内親機２の映像復調回路２５において、パルス幅識別回路３２にて設定される時間（第１の設定時間）ｔ１は、抵抗Ｒ４とコンデンサＣ２との積である時定数で決定され、第１のＣＭＯＳロジックＩＣ３１のロジックゲート３１ａからのＦＭ変調信号Ｓ３のキャリアの周期の数倍、ここでは、約０．３μＳであり、ＦＭ変調信号Ｓ３にキャリア断続が発生している期間内には第１の設定時間ｔ１よりも長いパルスが入力されるため、コンデンサＣ２に蓄電されている電荷が放電し、ＮＯＲ３３の入力ポートの一方および他方の直流電位、第２のＣＭＯＳロジックＩＣ３５の入力ポートの一方がそれぞれＬレベルとなり、ゆえに、ＮＯＲ３３の出力ポート３３ａの電位はＨレベルとなる。
【００３２】
また、図３のブロック図に示す室内親機２の映像復調回路２５において、パルス幅設定回路３４にて設定される時間（第２の設定時間）ｔ２は、抵抗Ｒ５とコンデンサＣ３との積である時定数で決定され、ここでは、約６０μＳであり、第２のＣＭＯＳロジックＩＣ３５の入力ポートの他方の電位は、第２の設定時間ｔ２である約６０μＳだけ遅延されてＨレベルとなるため、第２のＣＭＯＳロジックＩＣ３５のロジックゲート３５ａからの出力信号Ｓ６は、第２の設定時間ｔ２の期間内のみＨレベルに固定され、この出力信号Ｓ６は、第１のＣＭＯＳロジックＩＣ３１の入力ポートの一方、加算回路４０、ＣＰＵ２８にそれぞれ伝送される。
【００３３】
また、図３のブロック図に示す室内親機２の映像復調回路２５において、第１のＣＭＯＳロジックＩＣ３１は、何れか一方の入力ポートがＨレベルになっていれば、ロジックゲート３１ａからの出力はＬレベルに固定されるため、第２のＣＭＯＳロジックＩＣ３５のロジックゲート３５ａからの出力信号Ｓ６は、ＦＭ変調信号Ｓ１に発生しているキャリア断続の期間が短い場合でも、第２の設定時間ｔ２の期間内、必ずＨレベルとなる。
【００３４】
また、図３のブロック図に示す室内親機２の映像復調回路２５において、加算回路４０は、ビデオアンプ３９を介して増幅されたＦＭ変調信号Ｓ５と第２のＣＭＯＳロジックＩＣ３５のロジックゲート３５ａからの出力信号Ｓ６とを加算することにより、図４の説明図に示す映像同期信号下側に発生する不要なパルスを除去でき、加算回路４０からの映像信号Ｓ７に基づいて映像を出画するモニタ２１では、玄関子機からの出画中呼出時における映像を、輝度の変化や同期の乱れが防止された鮮明な映像で出画させることができる。
【００３５】
さらに、図２のブロック図に示す室内親機２において、映像復調回路２５を構成する図３のブロック図に示す第２のＣＭＯＳロジックＩＣ３５のロジックゲート３５ａからの出力信号Ｓ６が入力されたＣＰＵ２８は、玄関先に居る来訪者による出画中呼び出しを検出して親機スピーカ２０から呼出音を鳴動させ、この呼出発報とともにモニタ２１に出画された映像を確認した室内の居住者がハンドセット２２を取り上げて呼出応答すると、フックスイッチ２３がフックオフされ、これを検出したＣＰＵ２８の制御により、居住者が使用するハンドセット２２と、親機通話回路２５、親機Ｉ／Ｆ２９、伝送線路Ｌ１、Ｌ２の２線間、玄関子機１の子機Ｉ／Ｆ１７、子機通話回路１５を介して来訪者が使用する子機マイク１２および子機スピーカ１３との間の通話ラインが形成され、この通話ラインを介して音声信号を送受信させることにより通話が成立、すなわち、室内の居住者によればハンドセット通話、玄関先に居る来訪者によればハンズフリー通話を行うことができる。
【００３６】
なお、本発明の実施例によるテレビドアホン装置では、室内の居住者が玄関先に居る来訪者との通話を行うために使用する室内親機２の通話装置として、ハンドセット通話を行うためのハンドセット２２を適用し、このハンドセット２２の取り上げの有無に起因してフックオフ／オンされるフックスイッチ２３のスイッチング状態を検出したＣＰＵ２８が通話ラインを形成させたが、通話装置はハンドセット２２に限定されず、呼出音を鳴動させる親機スピーカ２０に受話機能を備えるとともに親機マイクおよび通話ボタンを備え、これらを親機通話回路２５に接続し、呼出応答としての通話ボタンの押下を検出したＣＰＵ２８が通話ラインを形成させることによりハンズフリー通話を行うこともでき、この場合、上述の実施例に適用させたハンドセット２２およびフックスイッチ２３は不要となる。また、上述のハンドセット通話を行うための通話装置とハンズフリー通話を行うための通話装置は、室内親機２に並存でき、この場合、通話切替手段を備えることにより、室内の居住者はハンドセット通話、ハンズフリー通話の何れか一方の通話手段を選択可能となる。
【００３７】
【発明の効果】
以上の説明から明らかなように、本発明のテレビドアホン装置によれば、室内親機のモニタに映像が出画中における玄関子機からの呼出時において、ＦＭ変調信号に発生するＦＭキャリア断続は、室内親機の映像復調回路にて当該ＦＭ変調信号のパルス幅に基づいて検出される。また、ＦＭキャリア断続の検出による出力信号は、玄関子機からの出画中呼び出しを検出させるための呼出信号成分となり、出画中呼び出しを高精度で検出できるばかりでなく、ＦＭキャリア断続時に発生する映像同期信号下側に出力される不要なパルスを除去でき、玄関子機からの出画中呼出時における映像は、輝度の変化や同期の乱れが防止された鮮明な映像でモニタに出画されることにより、従来例で適用されたキャリアのエンベロープ検波および出力反転させるための回路が不要となり部品点数の低減による構成の簡素化が図れる。
【図面の簡単な説明】
【図１】本発明の実施例によるテレビドアホン装置を正面から見た概略外観図である。
【図２】本発明の実施例によるテレビドアホン装置の構成を示すブロック図である。
【図３】本発明の実施例によるテレビドアホン装置において、室内親機の映像復調回路の具体的な構成を示すブロック図である。
【図４】本発明の実施例によるテレビドアホン装置において、室内親機の映像復調回路にて行われる信号処理を説明するための説明図である。
【図５】従来例のテレビドアホン装置を正面から見た概略外観図である。
【図６】従来例のテレビドアホン装置において、室内親機の構成を示すブロック図である。
【図７】従来例のテレビドアホン装置において、室内親機の映像復調回路の具体的な構成を示すブロック図である。
【図８】従来例のテレビドアホン装置において、室内親機の映像復調回路にて行われる信号処理を説明するための説明図である。
【符号の説明】
１・・・・・玄関子機
２・・・・・室内親機
１０・・・・・呼出ボタン
１１・・・・・カメラ
１２・・・・・子機マイク
１３・・・・・子機スピーカ
１５・・・・・映像変調回路
２０・・・・・親機スピーカ
２１・・・・・モニタ
２２・・・・・ハンドセット（通話装置）
３１・・・・・第１のＣＭＯＳロジックＩＣ
３１ａ・・・・・（第１のＣＭＯＳロジックＩＣの）ロジックゲート
３２・・・・・パルス幅識別回路（比較手段）
３５・・・・・第２のＣＭＯＳロジックＩＣ
４０・・・・・加算回路（加算手段）
Ｌ１、Ｌ２・・・・・伝送線路
【図１】
2004096408.tif 000003
【図２】
2004096408.tif 000004
【図３】
2004096408.tif 000005
【図４】
2004096408.tif 000006
【図５】
2004096408.tif 000007
【図６】
2004096408.tif 000008
【図７】
2004096408.tif 000009
【図８】
2004096408.tif 000010